(57)【特許請求の範囲】
【請求項１】
側壁にシロアリが通過可能な大きさの開口部が少なくとも１つ形成されている、シロアリの検出および駆除の少なくとも一方を行うシロアリ捕獲器であって、
前記シロアリ捕獲器の内部には、シロアリ用エサが配置されるシロアリ用エサ配置部と、
アリ用エサが配置されるアリ用エサ配置部とを備え、
前記シロアリ用エサ配置部と前記アリ用エサ配置部とが、アリが通過可能な大きさの空隙が形成されている内壁により分離されていることを特徴とするシロアリ捕獲器。
【請求項２】
上記アリ用エサは、殺蟻成分を含有していることを特徴とする請求項１に記載のシロアリ捕獲器。
【請求項３】
地中に配置されているときに、上記開口部の外面側開口端下部が内面側開口端下部よりも下方に位置していることを特徴とする請求項１または２に記載のシロアリ捕獲器。
【請求項４】
上記側壁の外面側に鍔部が形成されていることを特徴とする請求項１、２または３に記載のシロアリ捕獲器。
【請求項５】
地中において腐敗または腐食に耐え、かつ抗シロアリ性の材料からなることを特徴とする請求項１ないし４のいずれか１項に記載のシロアリ捕獲器。
【請求項６】
請求項１ないし５のいずれか１項に記載のシロアリ捕獲器を用いたシロアリ検出方法であって、
上記シロアリ捕獲器を地中に配置する第１のステップと、
上記シロアリ用エサ配置部にシロアリを誘引する非殺蟻性のシロアリ用エサを配置する第２のステップと、
上記アリ用エサ配置部にアリを誘引するアリ用エサを配置する第３のステップと、
前記第１のステップ、第２のステップおよび第３のステップの後に、シロアリ用エサ配置部のシロアリの存在を確認する第４のステップとを含むことを特徴とするシロアリ検出方法。
【請求項７】
請求項１ないし５のいずれか１項に記載のシロアリ捕獲器を用いたシロアリ駆除方法であって、
上記シロアリ捕獲器を地中に配置する第１のステップと、
上記シロアリ用エサ配置部にシロアリを誘引する非殺蟻性のシロアリ用エサを配置する第２のステップと、
上記アリ用エサ配置部にアリを誘引するアリ用エサを配置する第３のステップと、
前記第１のステップ、第２のステップおよび第３のステップの後に、上記シロアリ用エサ配置部のシロアリの存在を確認する第４のステップと、
前記第４のステップにおいてシロアリの存在が確認された後に、上記シロアリ用エサ配置部に殺蟻性のシロアリ用エサを配置する第５のステップとを含むことを特徴とするシロアリ駆除方法。
【請求項８】
請求項１ないし５のいずれか１項に記載のシロアリ捕獲器を用いたシロアリ駆除方法であって、
上記アリ用エサ配置部にアリを誘引するアリ用エサを配置するステップと、
上記シロアリ用エサ配置部に殺蟻性のシロアリ用エサを配置するステップとを含むことを特徴とするシロアリ駆除方法。
【発明の詳細な説明】
【０００１】
【発明の属する技術分野】
本発明は、シロアリを誘引して、シロアリの検出および駆除の少なくとも一方を行うシロアリ捕獲器ならびにこれを用いたシロアリ検出方法およびシロアリ駆除方法に関するものである。
【０００２】
【従来の技術】
従来より、家屋等の構造物をシロアリの被害から保護するために、シロアリの存在する可能性のある領域、あるいは、シロアリによる被害を予防することが必要な領域に殺虫剤を散布する方法が行われている。しかし、構造物の特定の領域におけるシロアリの被害をくい止めるために、シロアリの存在する可能性のある領域に殺虫剤を散布する方法では、殺虫剤に直接触れるシロアリを駆除できるのみであり、群れを構成する膨大な数のシロアリを駆除することができない。また、殺虫剤の散布によりシロアリの被害を予防する方法では、散布された殺虫剤の生物学的活性が経時的に失われることに伴い、シロアリの侵入を阻止する効力も経時的に失われるという問題点がある。さらに、環境への影響等を考慮すると大量の殺虫剤を散布することは好ましくない。
【０００３】
特表２０００−５０３８４４号公報には、容器内部にシロアリを集めて、その容器に殺蟻性を有するエサ（毒性餌）を配置し、該毒性餌を前記容器内部に集まったシロアリの巣に持ち帰らせることにより、少量の毒性餌を用いてシロアリを駆除するシステムおよびその使用方法が開示されている。
【０００４】
上記公報に開示されているシステムでは、毒性餌をシロアリの巣に持ち帰らせる通路を形成するために、まず、容器内部にシロアリを集めるためのエサ（要撃材）を配置してシロアリを集める必要がある。ここで、容器内部にシロアリの天敵であるアリが存在すると、該アリにより容器内部にシロアリが集まることが妨害される。すなわち、アリはシロアリを集める際の障害となるため、容器内部にシロアリを効果的に集めるにはアリを排除する必要がある。
【０００５】
そこで、上記公報には、シロアリの天敵であるアリが容器内部に侵入することを防止するために、図５に示すように、容器３７の側壁に形成された開口部３５を要撃材（エサ）３９により覆う構成が開示されている。前記の構成は、シロアリ自身により形成された穴を通ってのみ容器３７の内部へ侵入（アクセス）することができるようにするものである。
【０００６】
【発明が解決しようとする課題】
ところが、上記公報に開示されている構成では、要撃材３９の周りに集まったアリを積極的に排除することができないため、シロアリにより要撃材３９に穴が形成される前および後のいずれにおいても、要撃材３９の周りのアリによりシロアリが排除されるという問題点がある。
【０００７】
また、容器の側壁に形成された開口部３５は要撃材３９により覆われているため、シロアリにより要撃材３９に穴が形成されるまで、シロアリは容器３９の内部へ入ることができない。このため、最初から入り口が形成されているものに比べて容器の内部にシロアリを集める効率が悪いという問題点もある。
【０００８】
本発明は、上記の問題点を解決するためになされたもので、その目的は、シロアリ用エサからシロアリの天敵であるアリを排除して、シロアリを効率よくシロアリ用エサに集めることができるシロアリ捕獲器ならびにこれを用いた効果的なシロアリ検出方法およびシロアリ駆除方法を提供することにある。
【０００９】
【課題を解決するための手段】
本発明のシロアリ捕獲器は、上記の課題を解決するために、側壁にシロアリが通過可能な大きさの開口部が少なくとも１つ形成されている、シロアリの検出および駆除の少なくとも一方を行うシロアリ捕獲器であって、前記シロアリ捕獲器の内部には、シロアリ用エサが配置されるシロアリ用エサ配置部と、アリ用エサが配置されるアリ用エサ配置部とを備えていることを特徴としている。
【００１０】
上記の構成により、アリ用エサ配置部のアリ用エサによりシロアリの天敵であるアリを誘引し、シロアリ用エサ配置部からアリを排除することができる。このため、アリの存在によりシロアリ捕獲器の内部へシロアリが入ることが阻害されたり、シロアリ捕獲器の内部のシロアリが排除されたりすることを防止できる。これにより、シロアリをより確実にシロアリ用エサ配置部に誘引することができるため、シロアリの検出ならびに駆除を効果的に行うことが可能となる。
【００１１】
上記したように、アリはシロアリの天敵であるため、アリの存在がシロアリ捕獲器の内部にシロアリを誘引し、捕獲することの妨げとなり、ひいては、シロアリの検出ならびに駆除の妨げとなる。すなわち、シロアリ捕獲器の内部からシロアリ用エサ配置部にアリが存在すると該アリによりシロアリ用エサ配置部にシロアリが集まることが妨害される。このため、シロアリをシロアリ捕獲器の内部へ効果的に誘引し、捕獲するためには、シロアリ用エサ配置部からアリを排除する必要がある。
【００１２】
そこで、本発明のシロアリ捕獲器の内部には、アリを誘引するためのアリ用エサが配置されるアリ用エサ配置部が設けられている。このため、アリ用エサ配置部にアリの好むアリ用エサを配置することにより、開口部を介してシロアリ捕獲器の内部に入ったアリをアリ用エサ配置部に誘引し、シロアリ用エサ配置部から排除することが可能となる。
【００１３】
すなわち、本発明のシロアリ捕獲器の付近にシロアリおよびアリが存在する場合には、シロアリのみならずアリも開口部を介してシロアリ捕獲器の内部に入ることとなるが、シロアリ捕獲器の内部では、シロアリとアリとは、それぞれ、シロアリ用エサとアリ用エサとに誘引される。このため、シロアリ捕獲器の内部のシロアリとアリとは、それぞれシロアリ用エサ配置部とアリ用エサ配置部とに分かれて存在することとなる。
【００１４】
これにより、シロアリ用エサ配置部からアリを排除できるため、アリによる妨害を受けることなくシロアリ用エサ配置部へシロアリを誘引し、捕獲することが可能となる。
【００１５】
従って、本発明のシロアリ捕獲器の内部に入ったアリをシロアリ用エサ配置部から排除して、シロアリ用エサ配置部にシロアリを効果的に誘引することができるため、多くのシロアリを捕獲し、シロアリの検出および駆除の少なくとも一方を効果的に行うことが可能となる。
【００１６】
本発明のシロアリ捕獲器は、上記シロアリ用エサ配置部と上記アリ用エサ配置部とが、アリが通過可能な大きさの空隙が形成されている内壁により分離されている構成であってもよい。
【００１７】
上記の構成により、シロアリ用エサ配置部のシロアリとアリ用エサ配置部のアリとをより確実に分離することが可能となる。
【００１８】
すなわち、シロアリ捕獲器の内部の内壁には、アリが通過可能な大きさの空隙が設けられているため、開口部からシロアリ捕獲器の内部に入ったアリは、アリ用エサに誘引されてアリ用エサ配置部に移動することとなる。そして、シロアリ捕獲器の内部のアリ用エサ配置部とシロアリ用エサ配置部とは内壁により分離されているため、アリ用エサ配置部のアリによるシロアリ用エサ配置部のシロアリへの影響をより確実に防ぐことができる。
【００１９】
従って、アリによってシロアリ捕獲器の内部からシロアリが排除されることをより確実に防止し、より効果的にシロアリの捕獲を行うことができる。
【００２０】
本発明のシロアリ捕獲器は、地中に配置されているときに、上記開口部の外面側開口端下部が内面側開口端下部よりも下方に位置していることが好ましい。
【００２１】
上記の構成により、シロアリ捕獲器の内部に開口部を介して土砂や水等が入ることを抑制することが可能となる。
【００２２】
シロアリ捕獲器を用いて地中に棲息するシロアリを捕獲するためには、シロアリ捕獲器を地中に配置する必要があり、シロアリ捕獲器を地中に配置する際や、地中に配置された後に、側壁に形成されている開口部を介してシロアリ捕獲器の内部に土砂等が入ることとなる。シロアリ捕獲器の内部に土砂等が入ると、上記シロアリ用エサ配置部に配置されるシロアリ用エサが土砂等により覆われてその取り出しや交換が困難になるという問題が生じる。
【００２３】
そこで、本発明のシロアリ捕獲器の側壁の開口部は、シロアリ捕獲器が地中に配置されているときに、外面側開口端下部が内面側開口端下部よりも下方に位置するように形成されている。例えば、側壁の内面側から外面側に向かって、斜め下方向に開口部を形成することにより、外面側開口端下部が内面側開口端下部よりも下方に位置するように開口部を形成することができる。これにより、開口部を介して、シロアリ捕獲器の内部に土砂や水等が入ることを抑制できる。
【００２４】
すなわち、側壁の開口部は、その外面側開口端下部が内面側開口端下部よりも下方に位置しているため、開口部の土砂や、水等はシロアリ用エサ配置部の側壁の外面側に排出される。これにより、シロアリ用エサ配置部に配置されるシロアリ用エサが土砂等により覆われることが防止されるため、その取り出しや交換等を容易に行うことできる。
【００２５】
従って、開口部を介してシロアリ捕獲器の内部へ土砂や水等が入ることによりシロアリ捕獲器のシロアリ用エサが土砂等により覆われることが抑制されるため、シロアリ用エサの取り出し、交換を容易に行うことができる。
【００２６】
本発明のシロアリ捕獲器は、上記側壁の外面側に鍔部が形成されている構成であってもよい。
【００２７】
上記の構成により、地中に配置する際にシロアリ捕獲器を容易に所定の深さに配置することができる。
【００２８】
シロアリ捕獲器を用いて地中のシロアリの検出および駆除のいずれか一方を行う場合には、シロアリ捕獲器は、地表面に形成された穴に挿入されて地中に配置される。ここで、前記穴の深さがシロアリ捕獲器の長手方向の長さよりも大きい場合には、シロアリ捕獲器の上端が地表面よりも低くなり、シロアリ捕獲器の全体が土砂等により容易に覆われるため好ましくない。そこで、シロアリ捕獲器の一端が地表面と略一致するように、穴の深さを調整することが必要となる。
【００２９】
そこで、本発明のシロアリ捕獲器は、シロアリ捕獲器を地中に設置する場合に、シロアリ捕獲器を地表面に支持するために、その側壁の外面側に鍔部が形成されている。これにより、前記の穴の深さが、シロアリ捕獲器の長手方向の長さよりも大きい場合にも、穴の深さを調整することなく所定の深さに配置することができる。
【００３０】
すなわち、地表面に鍔部の外径よりも直径が小さい穴を形成することにより、前記の穴の深さがシロアリ捕獲器の長手方向の長さよりも大きい場合においても、鍔部によりシロアリ捕獲器が地表面に支持されることとなる。これにより、シロアリ捕獲器の上端が地表面よりも低くなることを防ぐことができる。このため、穴の深さを調整することなく、シロアリ捕獲器を地中の所定の深さに配置することが可能となる。
【００３１】
例えば、シロアリ捕獲器を地中に配置した際に上端となる側壁の外面側に鍔部を形成することにより、容易にシロアリ捕獲器の上端が地表面と略一致するように配置できる。また、その上端が地表面と略一致するように配置することにより、シロアリ捕獲器が土砂などにより覆われること、ならびに地表面上の障害となることを防止することができる。
【００３２】
従って、その側壁の外面側に鍔部が形成されていることにより、地表面に形成する穴の深さを調整することなく、シロアリ捕獲器を地中の所定の深さに配置することが可能となる。
【００３３】
本発明のシロアリ捕獲器は、地中において腐敗または腐食に耐え、かつ抗シロアリ性の材料からなることが好ましい。
【００３４】
上記の構成により、シロアリ捕獲器が長期間地中に配置されている場合において、シロアリ捕獲器が腐食、腐敗やシロアリによる害を被ることが防止される。従って、長期間継続してシロアリの捕獲を行うことができる。また、目標とする使用期間によっては、その使用期間中は腐敗または腐食に耐えかつ耐シロアリ性を保持しているが、使用期間終了後は土壌中で分解する、いわゆる生分解性の材料を使用することもできる。
【００３５】
本発明のシロアリ検出方法は、上記の課題を解決するために、上記のシロアリ捕獲器を用いたシロアリ駆除方法であって、上記シロアリ捕獲器を地中に配置する第１のステップと、上記シロアリ用エサ配置部にシロアリを誘引する非殺蟻性のシロアリ用エサを配置する第２のステップと、上記アリ用エサ配置部にアリを誘引するアリ用エサを配置する第３のステップと、前記第１のステップ、第２のステップおよび第３のステップの後に、シロアリ用エサ配置部のシロアリの存在を確認する第４のステップとを含むことを特徴としている。
【００３６】
上記の構成により、シロアリ用エサ配置部からシロアリの天敵であるアリが排除されるため、アリにより、シロアリ用エサ配置部へシロアリが集まることが阻害されたり、シロアリ用エサ配置部のシロアリが排除されたりすることが防がれる。これにより、シロアリはシロアリ用エサ配置部に効果的に誘引されることとなるため、シロアリをより効果的に検出することが可能となる。
【００３７】
本発明のシロアリ駆除方法は、上記の課題を解決するために、上記のシロアリ捕獲器を用いたシロアリ駆除方法であって、上記シロアリ捕獲器を地中に配置する第１のステップと、上記シロアリ用エサ配置部にシロアリを誘引する非殺蟻性のシロアリ用エサを配置する第２のステップと、上記アリ用エサ配置部にアリを誘引するアリ用エサを配置する第３のステップと、前記第１のステップ、第２のステップおよび第３のステップの後に、上記シロアリ用エサ配置部のシロアリの存在を確認する第４のステップと、前記第４のステップにおいてシロアリの存在が確認された後に、上記シロアリ用エサ配置部に殺蟻性のシロアリ用エサを配置する第５のステップとを含むことを特徴としている。
【００３８】
上記の構成により、シロアリ用エサ配置部からシロアリの天敵であるアリを排除できるため、アリの存在により、シロアリ用エサ配置部へシロアリが集まることが阻害されたり、シロアリ用エサ配置部のシロアリが排除されたりすることを防ぐことができる。
【００３９】
これにより、シロアリ用エサによりシロアリを効果的に誘引し、多くのシロアリに殺蟻性のシロアリ用エサを持ち帰らせてシロアリを効果的に駆除することが可能となる。
【００４０】
また、例えばシロアリによって建築物が被害を被っていたり、蟻道が確認できる等、設置するシロアリ捕獲器周辺にシロアリの棲息が予め確認できている場合には、第１のステップ、第２のステップおよび第４のステップを省略し、上記アリ用エサ配置部にアリを誘引するアリ用エサを配置する第３のステップと、上記シロアリ用エサ配置部に殺蟻性のシロアリ用エサを配置する第５のステップとにより本発明のシロアリ駆除方法を実施してもよい。
【００４１】
【発明の実施の形態】
本発明の実施の一形態について図１ないし図４に基づいて説明すれば、以下のとおりである。
【００４２】
本実施の形態のシロアリ捕獲器の斜視図を図２に示す。図２（ａ）は蓋２側からの斜視図であり、（ｂ）は本体７の底部１７側からの斜視図である。同図に示すように、本実施の形態のシロアリ捕獲器は、本体７の側壁６には複数の開口部５が形成されており、本体７の長手方向の一端には、蓋２および本体７の外径よりも大きな外径を有するフランジ１が取り付けられており、本体７の他端は底部１７となっている。
【００４３】
図１に、本実施の形態のシロアリ捕獲器の内部構造を説明する、その一部が図２（ａ）のＡ−Ａ’に沿ってとり除かれた斜視図を示す。同図を用いて本実施の形態のシロアリ捕獲器の内部構造を以下に説明する。
【００４４】
同図に示すように、本実施の形態のシロアリ捕獲器は、フランジ（鍔部）１と、蓋２と、アリ用エサ台（アリ用エサ配置部）４と、本体（シロアリ用エサ配置部）７と、中芯（シロアリ用エサ配置部）８とを備えて構成されている。
【００４５】
本実施の形態のシロアリ捕獲器は、その本体７の内部にアリ用エサ台４と中芯８とを備えており、アリ用エサ台４および中芯８は、それぞれ、アリ用エサ１０およびシロアリ用エサ９を配置するものである。そして、本体７の側壁６および底部１７により画定される本体７の内部は、開口部５を介して外部に通じている。
【００４６】
シロアリ捕獲器が地中に配置（埋設）されると、地中に棲息するシロアリおよびアリは、開口部５を介して本体７の内部に入る。本体７の内部のアリ用エサ台４には、アリを誘引するアリ用エサ１０が配置されており、中芯８にはシロアリを誘引するシロアリ用エサ９が配置されている。従って、本体７の内部に入ったアリはアリ用エサ１０に誘引されてアリ用エサ台４に移動する。
【００４７】
このため、本実施の形態のシロアリ捕獲器は、開口部５から本体７の内部に侵入したアリをアリ用エサ台４に誘引し、中芯８に配置されているシロアリ用エサ９から排除することができる。これにより、シロアリ用エサ９の周りのアリを排除して、シロアリ用エサ９によるシロアリの誘引をより効果的に行うことができる。
【００４８】
すなわち、本体７内部のアリは、アリ用エサ１０に誘引されてアリ用エサ台４に移動し、該アリはアリ用エサ台４の底部３によって本体７のシロアリ用エサ９と分離されている。このため、シロアリの天敵であるアリにより、シロアリ用エサ９にシロアリが集まることが妨害されたり、シロアリ用エサ９からシロアリが排除されたりすることはない。従って、アリによる妨害や排除を受けることなく本体７内部のシロアリをシロアリ用エサ９に誘引することができるため、アリ用エサ台４を有しないものよりも効果的に本体７の内部にシロアリを誘引し、捕獲（検出）することが可能となる。
【００４９】
なお、本実施の形態のシロアリ捕獲器は、地中において腐敗または腐食に耐え、かつ抗シロアリ性の材料からなることが好ましい。このような材料を用いることにより、シロアリ捕獲器の腐敗やシロアリによる被害を防止できるため、長期間継続してシロアリを捕獲し、シロアリの駆除を行うことが可能となる。
【００５０】
シロアリ捕獲器の材料として用いられる、地中において腐敗または腐食に耐え、かつ抗シロアリ性の材料としては、例えばポリエチレン、ポリプロピレン、ポリスチレン、ナイロン、ポリアセタール、ポリフェニレンオキサイド、ポリエチレンテレフタレート、ＡＢＳ樹脂等の樹脂材料；アルミニウム、鉄、ステンレス、ブリキ等の金属材料；陶器、磁器、土器等の鉱物材料等を挙げることができる。
【００５１】
また、シロアリ捕獲器の材料として用いられる生分解性樹脂として、生分解性ポリ乳酸、生分解性脂肪族ポリエステル、生分解性ポリウレタン等を挙げることができる。
【００５２】
つづいて、本実施の形態のシロアリ捕獲器の分解正面図を図３（ａ）、（ｂ）に示す。同図に示すように、本実施の形態のシロアリ捕獲器は、フランジ１と、蓋２と、アリ用エサ台４と、本体７と、中芯８とを備えて構成されている。
【００５３】
フランジ１は、空間部１１が形成されているいわゆるドーナツ型の形状をした円板であり、その内径（空間部１１の直径）は、蓋２の外径より小さく、アリ用エサ台４の底部（内壁）３の外径より大きく、かつその外径は本体７の外径よりも大きい。このため、本体７の一端が取り付けられているフランジ１により、本体７の側壁６の外面側を取り囲む突起を形成することができる。地中に配置する際にシロアリ捕獲器はフランジ１により支持されるため、本体７を地中の所定の深さに容易に配置することができる。
【００５４】
ここで、本体７にフランジ１が取り付けられていない場合は、例えば、深さが本体７の長手方向の長さよりも大きい穴に本体７を挿入すると、本体７の上端が地表面よりも低く位置することとなる。本体７に取り付けられる蓋２の位置が地表面よりも低いと、蓋２が土砂等により覆われて地中に埋まるため、前記穴の深さを調整する必要が生じる。
【００５５】
これに対して、地表面に、その深さが本体７の長手方向よりも大きく、かつ、その直径が本体７の外径よりも大きくかつフランジ１の外径よりも小さい穴を形成し該穴に本体７を挿入すると、フランジ１によりシロアリ捕獲器は地表面に支持される。したがって、本体７のフランジ１が取り付けられている一端を地表面と略同一の高さとすることができるため、地表面において障害とならず、かつ蓋２を容易に開閉することができる位置にシロアリ捕獲器を配置することが可能となる。すなわち、穴の深さを調整することなく、シロアリ捕獲器を、容易に地中の所定の深さに配置することが可能となる。
【００５６】
フランジ１は容易に外れないように本体７に取り付けられていればよく、その取り付け方法は限定されない。また、フランジ１は、シロアリ捕獲器が地中に配置されているときに上となる側の端に取り付けられることが好ましい。これにより、本体７の一端を地表面と略同一の高さとすることができるため、地表面において障害とならず、かつ蓋２を容易に開閉することができる位置にシロアリ捕獲器を配置することができる。なお、本実施の形態においては、フランジ１と本体７とを別体として形成しているが、両者を一体として形成してもよい。
【００５７】
蓋２は本体７の長手方向の一端に取り外し可能な状態で取り付けられ、本体７の内部に土砂や水等が入る事を防止するものである。また、例えば、子供のいたずら等により蓋２が開けられることを防止するため、シロアリ捕獲器は、蓋２を本体７にロックする機構を備えていることが好ましい。また、蓋２は専用の道具を用いてのみ開閉できるものであることがさらに好ましい。これにより、専用の道具を有する者のみが蓋２を開閉できるため、例えば、子供のいたずら等により蓋２が開けられることを確実に防止することができる。
【００５８】
また、蓋２には、本体７に取り付けられた状態において本体７の内部側となる面にボス部１２が備えられている。このボス部１２はアリ用エサ台４を蓋２に取り付けるためのものである。
【００５９】
アリ用エサ台４は、アリを誘引するアリ用エサを配置するものである。アリ用エサ台４は、底部３と蓋２のボス部１２と嵌合するボス受け部１３とを備えている。蓋２のボス部１２と、アリ用エサ台４の底部３の蓋２側の面に設けられているボス受け部１３との嵌合により、蓋２にアリ用エサ台４が着脱可能に固定される。また、蓋２とアリ用エサ台４との間には、アリが通過可能な隙間（間隙）が形成されるように固定される。上記したように蓋２とアリ用エサ台４とは着脱可能であるため、蓋２からアリ用エサ台４を外してアリを誘引するアリ用エサの交換、追加等を容易に行うことができる。
【００６０】
アリ用エサ台４は、本体７の内径よりもその直径が小さい略円形の底部３を備えており、アリ用エサ台４に配置されるアリ用エサは、底部３によって本体７の内部のシロアリ用エサ９と分離される。底部３の直径は、アリが底部３と本体７の側壁の内面との間にアリが通過できる隙間（間隙）が形成される大きさであればよい。なお、底部３は本体７の内部をアリが移動できる形状とすればよく、例えば、底部３をその一部にアリが通過することができる切欠き部を有する形状としてもよい。
【００６１】
上記したように、蓋２とアリ用エサ台４との間、および底部３と本体７との間には、アリが通過可能な隙間が存在するため、開口部５を介して外部から本体７の内部に入ったアリは、前記隙間を通って、アリ用エサ台４に移動することができる。
【００６２】
このように、開口部５から本体７の内部に入ったアリが、アリ用エサ台４に配置されるアリ用エサ１０に誘引されて、アリ用エサ台４に移動することにより、本体７の内部のアリをアリ用エサ台４に集めることができる。これにより、本体７の中芯８に配置されるシロアリ用エサ９（図１参照）からアリが排除されるため、シロアリを、シロアリ用エサ９に効果的に集めることができる。
【００６３】
なお、本実施の形態においては、アリ用エサ台４は蓋２に固定されている構成としたが、これに限られず、アリ用エサ１０に誘引された本体７内部のアリが、アリ用エサ台４のアリ用エサに移動できるように形成されているものであればよい。
【００６４】
なお、上記アリ用エサ１０は、アリを誘引できるものであれば良く、その種類は特に限定されないが、例えば、砂糖、糖蜜、果糖、蛹粉、魚粉、オキアミ、ピーナツ油、大豆油、乾燥酵母等が挙げられ、これらの２種以上の混合物であってもよい。また、アリに対する誘引力を高めるために、さらに、誘引物質、例えば、バニラエッセンス、エチルアルコール、フェロモン等を加えてもよい。
【００６５】
また、上記アリ用エサ１０には、後述する殺蟻成分が含有されていてもよく、該殺蟻成分が含有されている場合にはアリの駆除もあわせて行うことができる。
【００６６】
本体７は側壁６と底部１７とを備えており、その形状は略円筒状である。側壁６には、シロアリが通過することが可能な大きさの複数の開口部５が形成されており、底部１７には、本体７の内部から水を抜くための、図示しない水抜き用穴が形成されている。開口部５の大きさは、シロアリが通過できる大きさであればよく特に限定されない。
【００６７】
なお、本体７の内部に開口部５から土砂や水等が入ることを防ぐために、側壁６の開口部５は、シロアリ捕獲器が地中に配置されているときに開口部５の外面側開口端下部が内面側開口端下部よりも下方に位置するように形成されていることが好ましい。開口部５の形状については後に説明する。
【００６８】
本体７の内部には、シロアリの検出および駆除の少なくとも一方を行うために、非殺蟻性または殺蟻性のシロアリ用エサ９が配置される（図１参照）。ここで、非殺蟻性のシロアリ用エサ９は通常、該エサ中に殺蟻成分を実質的に含有していないものであり、殺蟻性のシロアリ用エサ９は通常、該エサ中に少なくとも本発明のシロアリ駆除方法を達成するために必要な量または濃度の殺蟻成分を含有するものである。
【００６９】
具体的には、シロアリを検出する際には本体７の内部に非殺蟻性のシロアリ用エサ９を配置してシロアリを誘引し、シロアリを駆除する際には、殺蟻性のシロアリ用エサ９を配置し、該殺蟻性のシロアリ用エサ９をシロアリの巣に持ち帰らせる。なお、本体７の内部に非殺蟻性のシロアリ用エサ９および殺蟻性のシロアリ用エサ９を同時に配置し、シロアリの検出および駆除を同時に行うこととしてもよい。
【００７０】
また、例えばシロアリによって建築物が被害を被っていたり、蟻道が確認できる等、設置するシロアリ捕獲器周辺にシロアリの棲息が予め確認できている場合には、本体７の内部に最初から殺蟻性のシロアリ用エサ９を配置し、シロアリの駆除を行ってもよい。
【００７１】
中芯８は、本体７の内部から取り出し可能にするためのものであり、殺蟻性または非殺蟻性のシロアリ用エサ９を本体７の内部へ配置したり、該シロアリ用エサ９を本体７の内部から取り出したりする際に用いられる。すなわち、本体７の内部にシロアリ用エサ９を配置するためには、中芯８にシロアリ用エサ９を配置して本体７へ挿入すればよく、シロアリ用エサ９の配置されている中芯８を本体７の内部から取り出すことにより本体７のシロアリ用エサ９を取り出すことができる。つまり、中芯８によりシロアリ用エサ９を本体７へ配置すること、ならびに本体７から取り出すことが容易になる。
【００７２】
なお、本実施の形態の中芯８は上方に位置する中芯８ａと下方に位置する中芯８ｂとから構成されており、中芯８ａは中芯８ｂに分離可能な状態で重ねられている。また、中芯８は、中芯８ａのみをつかむことと、中芯８ａおよび中芯８ｂの両方をつかむこととがいずれも可能となるように重ねられている。このため、本体７から中芯８ａのみを取り出すことも、中芯８ａおよび中芯８ｂを同時に取り出すこともできる。
【００７３】
従って、中芯８ａ、中芯８ｂのいずれにもシロアリ用エサ９を配置している場合には、本体７の内部から中芯８ａのみを取り出してシロアリ用エサ９の一部を取り出すことと、中芯８ａ、中芯８ｂの両方を取り出してシロアリ用エサ９の全部を取り出すこととを任意に行うことができる。
【００７４】
例えば、シロアリを検出する際には、中芯８ａおよび中芯８ｂのいずれにも非殺蟻性のシロアリ用エサ９を配置しておき、シロアリが検出されたら、本体７から中芯８ａのみを取り出し、中芯８ａに配置されている非殺蟻性のシロアリ用エサ９を殺蟻性のシロアリ用エサ９に取り替えることができる。これにより、中芯８ｂに配置している非殺蟻性のシロアリ用エサ９のシロアリの状態を乱すことなく、本体７の内部に殺蟻性のシロアリ用エサ９を配置し、本体７の内部のシロアリに殺蟻性のシロアリ用エサ９を与えることが可能となる。
【００７５】
本体７の内部に配置されるシロアリ用エサ９は、シロアリの食するセルロースを含有する材料を用いて作ることができ、例えば、木材、濾紙、未晒紙、和紙、再生紙等のパルプ含有紙、あるいはメチルセルロース、オキシプロピルメチルセルロース、オキシブチルメチルセルロース等のセルロースエーテル等を挙げることができる。なお、シロアリ用エサ９には保湿剤を含ませてもよい。これにより、湿気に誘引される種類のシロアリを効果的に誘引することができる。
【００７６】
シロアリ用エサ９としては、その目的に応じて非殺蟻性または殺蟻性のものが用いられる。非殺蟻性のシロアリ用エサ９は地中のシロアリを本体７の内部に誘引することを目的とし、殺蟻性のシロアリ用エサ９はシロアリの巣に殺蟻成分を持ち帰らせることを目的とするものである点で異なる。しかし、いずれもシロアリに摂食させるものであるため、殺蟻成分の有無を除き同じものを用いることができる。
【００７７】
シロアリ用エサ９を殺蟻性のシロアリ用エサ９とするために用いられる殺蟻成分としては、遅効性のものが好ましい。遅効性の殺蟻成分を用いることにより、殺蟻性のシロアリ用エサ９を摂食したシロアリは死ぬ前に移動できるため、死ぬ前に巣に戻り殺蟻成分を他のシロアリに伝播させることができる。さらに、本体７の外部に移動した後に死ぬこととなるため、本体７の内部がシロアリの死骸により汚染されて、本体７の内部にシロアリが集まることが阻害されることを防ぐことができる。
【００７８】
つづいて、側壁６の開口部５について、図４を用いて説明する。図４（ａ）は開口部５が形成されている側壁６の外面側からの正面図であり、図４（ｂ）は開口部５が形成されている側壁６の断面図である。同図に示すように、本実施の形態のシロアリ捕獲器の開口部５は、地中に配置されているときに、開口部５の外面側開口端下部５ａが内面側開口端下部５ｂよりも下方に位置するように形成されている。具体的には、開口部５の下側の面は側壁６の内面側から外面側に向かって、斜め下方向に形成されている。
【００７９】
例えば、外面側開口端上部５ｃと内面側開口端上部５ｄとが同じ高さに位置し、開口部５の内面側の本体７の長手方向の幅が３ｍｍ、外面側の本体７の長手方向の幅が５ｍｍとなるように開口部５を形成することにより、開口部５の外面側開口端下部５ａは内面側開口端下部５ｂよりも２ｍｍほど下方に位置する。側壁６の厚さが３ｍｍであるとすると、開口部５の下側の面は、側壁６の内面側から外面側に向かって、側壁６の厚み方向に対して下向きに約３０度の傾斜を有することとなる。
【００８０】
このため、土砂や水等は開口部５の下側の面を伝って側壁６の外面側に排出される。これにより、開口部５の土砂や水等が本体７の内部に入ることが抑制されるため、本体７の内部に配置されるシロアリ用エサ９（図１参照）が土砂等により覆われることが防がれる。従って、本体７からシロアリ用エサ９を取り出すことが容易になる。
【００８１】
本実施の形態のシロアリ検出方法は、上記のシロアリ捕獲器を用いたシロアリ検出方法であって、上記シロアリ捕獲器を地中に配置する第１のステップと、本体７の内部にシロアリを誘引する非殺蟻性のシロアリ用エサ９を配置する第２のステップと、アリ用エサ台４にアリを誘引するアリ用エサ１０を配置する第３のステップと、前記第１のステップ、第２のステップおよび前記第３のステップの後に、本体７の内部のシロアリの存在を確認する第４のステップとを含む方法である。
【００８２】
シロアリ捕獲器を配置する第１のステップにおいては、シロアリ捕獲器を地中に配置するために、地表面に適当な大きさの穴を形成して、この穴にシロアリ捕獲器を配置する。
【００８３】
ここで、シロアリ捕獲器を配置するために地表面に形成される穴の直径は、本体７の外径よりも大きくフランジ１（図１参照）の外径よりも小さい。これにより、フランジ１が地表面に引っかかるため、本体７のフランジ１が取り付けられている一端を地表面に位置させて、本体７を所定の深さに配置することが可能となる。
【００８４】
すなわち、本体７の長手方向の長さよりもその深さが大きい穴を形成した場合にも、本体７の蓋２が取り付けられる側の一端を地表面の高さと略同一にすることができる。これにより、本体７の一部が地表面から突出して歩行者等の障害となることがなく、かつ蓋２が地中に埋まることを防ぐことができる。
【００８５】
なお、第１のステップにおいては、地表面に形成した穴にシロアリ捕獲器を配置した後に、側壁６に形成された開口部５を土砂により覆うために、前記穴に土砂を充填する。
【００８６】
本体７にシロアリを誘引するシロアリ用エサ９を配置する第２のステップにおいては、シロアリ用エサ９としてシロアリを誘引する非殺蟻性のシロアリ用エサ９を用いる。これにより、シロアリ捕獲器が配置された地点の付近にシロアリが棲息する場合には、シロアリ用エサ９により誘引されたシロアリを第４ステップにおいて検出することができる。
【００８７】
シロアリを誘引する非殺蟻性のシロアリ用エサ９としては、上記したシロアリの食するセルロースを含有する材料を用いることができ、例えば、木材、濾紙、未晒紙、和紙、再生紙等のパルプ含有紙、あるいはメチルセルロース、オキシプロピルメチルセルロース、オキシブチルメチルセルロース等のセルロースエーテル等を挙げることができる。なお、シロアリ用エサ９には保湿剤を含ませてもよい。これにより、湿気に誘引される種類のシロアリを効果的に誘引できる。
【００８８】
アリ用エサ台４にアリを誘引するアリ用エサ１０を配置する第３のステップにおいて、開口部５を介して本体７の内部に入ったアリをアリ用エサ台４に誘引し、本体７の内部のシロアリ用エサ９から排除することができる。なお、アリを誘引するアリ用エサ１０としては、上記した砂糖、糖蜜、果糖、蛹粉、魚粉、オキアミ、ピーナツ油、大豆油、乾燥酵母等が挙げられ、これらの２種以上の混合物であってもよい。また、アリに対する誘引力を高めるために、さらに、誘引物質、例えば、バニラエッセンス、エチルアルコール、フェロモン等を加えてもよい。
【００８９】
上記第１のステップ、上記第２のステップおよび上記第３のステップにより、本体７の内部にシロアリを効果的に集めることができる。従って、シロアリ捕獲器が配置された地点付近にシロアリが棲息する場合には、本体７内部のシロアリの存在を確認する第４のステップにおいて、シロアリが検出される。
【００９０】
すなわち、シロアリ捕獲器が配置された地点付近にシロアリが棲息する場合には、該シロアリは本体７内部のシロアリ用エサ９により誘引されて、開口部５を介して本体７の内部に入る。また、シロアリ捕獲器が配置された地点付近にアリが棲息している場合であっても、開口部５を介して本体７の内部に入ったアリは、アリ用エサ１０に誘引されてアリ用エサ台４に移動する。
【００９１】
これにより、シロアリ用エサ９からアリが排除されるため、シロアリの天敵であるアリによりシロアリが排除されることがなくなり、シロアリを効果的に本体７の内部に集めて、検出を効果的に行うことができる。
【００９２】
本実施の形態のシロアリ駆除方法は、上記のシロアリ捕獲器を用いたシロアリ駆除方法であって、上記シロアリ捕獲器を地中に配置する第１のステップと、本体７の内部にシロアリを誘引する非殺蟻性のシロアリ用エサ９を配置する第２のステップと、アリ用エサ台４にアリを誘引するアリ用エサ１０を配置する第３のステップと、前記第１のステップ、第２のステップおよび第３のステップの後に、本体７の内部のシロアリの存在を確認する第４のステップと、前記第４のステップにおいてシロアリの存在が確認された後に、本体７の内部に殺蟻性のシロアリ用エサ９を配置する第５のステップとを含むシロアリ駆除方法である。
【００９３】
第１のステップないし第４のステップは、上記したシロアリ検出方法と同様にして行うことができる。
【００９４】
シロアリ駆除方法の第４のステップにおいてシロアリが検出されたということは、シロアリの巣（コロニー）からシロアリ捕獲器へ蟻道（通路）が形成されたことを意味する。従って、第４のステップにおいてシロアリが検出された後に本体７の内部にシロアリ用エサ９として殺蟻性のシロアリ用エサ９を配置することにより、検出されたシロアリに殺蟻性のシロアリ用エサ９を摂食させて、前記検出されたシロアリに殺蟻性のシロアリ用エサ９を蟻道を通ってシロアリの巣まで持ち帰らせることができる。
【００９５】
シロアリにより巣に持ち帰られたシロアリ用エサ９は、巣の仲間とのシロアリ間のエサの交換、糞食、グルーミング等により他のシロアリに伝播され、巣の内部で共有される。このため、第５のステップにおいて、本体７内部に配置された殺蟻性のシロアリ用エサ９も同様に他のシロアリに伝播され、巣の内部で共有される。
【００９６】
すなわち、第４ステップにおいてシロアリが検出された後に、第５ステップにおいて本体７内部にシロアリ用エサ９として殺蟻性のシロアリ用エサ９を配置することにより、殺蟻性のシロアリ用エサ９はシロアリにより蟻道を介してシロアリの巣に輸送されることとなる。
【００９７】
また、シロアリ捕獲器の本体７を地中に配置した状態のまま、蓋２を空けて本体７の内部に殺蟻性のシロアリ用エサ９を配置することにより、本体７の内部に通じる蟻道を破壊することなく、本体７の内部に殺蟻性のシロアリ用エサ９を配置することができる。このため、本体７の内部の殺蟻性のシロアリ用エサ９には、ステップ４において検出されたシロアリ以外のシロアリも集まり、殺蟻性のシロアリ用エサ９を摂食し巣に持ち帰ることとなる。
【００９８】
これにより、殺蟻性のシロアリ用エサ９を多くのシロアリに摂食させて、巣の内部で共有させることにより、多くのシロアリに殺蟻性のシロアリ用エサ９を与えることができる。このため、シロアリ捕獲器が配置された地点の付近に棲息するシロアリの棲息数を抑制すること、すなわち、シロアリを駆除することができる。
【００９９】
第５のステップにおいて、殺蟻性のシロアリ用エサ９を本体７の内部に配置する方法としては、第２のステップにおいて本体７の内部に配置されたシロアリを誘引する非殺蟻性のシロアリ用エサ９に加えて殺蟻性のシロアリ用エサ９を配置する方法、シロアリを誘引する非殺蟻性のシロアリ用エサ９の一部または全部を殺蟻性のシロアリ用エサ９に取り替える方法のいずれにより行ってもよい。
【０１００】
また、第５のステップは、第４のステップにおいてシロアリが検出された後に行われるため、シロアリが棲息しない場合において本体７の内部に殺蟻性のシロアリ用エサ９を配置することが防止される。これにより、シロアリが棲息しない場合に不必要に殺蟻成分を環境に流出させる事態を避けることができる。
【０１０１】
第５のステップにおいて本体７の内部に配置される殺蟻性のシロアリ用エサ９に用いられる殺蟻成分としては、シロアリに対し殺蟻活性を示すものであれば使用できるが、遅効性のものが好ましい。遅効性の殺蟻成分を用いることにより、殺蟻性のシロアリ用エサ９を摂食したシロアリは、死ぬ前に移動することができるため、巣に戻り殺蟻性のシロアリ用エサ９を他のシロアリに伝播させることができる。さらに、シロアリは本体７の外部に移動した後に死ぬこととなるため、本体７の内部がシロアリの死骸により汚染されて、本体７の内部の殺蟻性のシロアリ用エサ９にシロアリが集まることが阻害されることを防ぐことができる。
【０１０２】
また、例えばシロアリによって建築物が被害を被っていたり、蟻道が確認できる等、設置するシロアリ捕獲器周辺にシロアリの棲息が予め確認できている場合には、第１のステップ、第２のステップおよび第４のステップを省略し、上記シロアリ捕獲器の本体７の内部に殺蟻性のシロアリ用エサ９を配置するステップと、アリ用エサ台４にアリを誘引するアリ用エサ１０を配置するステップにより本発明のシロアリ駆除方法を実施することもできる。
【０１０３】
以上のように、本発明のシロアリ捕獲器は、アリ用エサ台４のアリ用エサ１０によりシロアリの天敵であるアリを誘引し、本体７の内部のシロアリ用エサ９からアリを排除することができる。このため、アリの存在により、シロアリ捕獲器の内部へシロアリが入ることが阻害されたり、シロアリ捕獲器の内部のシロアリが外部へ排除されたりするこを防ぐことができ、シロアリをより確実に本体７の内部のシロアリ用エサ９に集めることができる。従って、本発明のシロアリ捕獲器を用いることにより、シロアリの検出、駆除または検出および駆除を効果的に行うことができる。
【０１０４】
【発明の効果】
本発明のシロアリ捕獲器は、以上のように、シロアリ用エサが配置されるシロアリ用エサ配置部と、アリ用エサが配置されるアリ用エサ配置部とを備えている構成である。
【０１０５】
それゆえ、シロアリ捕獲器の内部に入ったアリをシロアリ用エサ配置部から排除することができる。これにより、効果的にシロアリを捕獲できるシロアリ捕獲器を提供することができるという効果を奏する。
【０１０６】
本発明のシロアリ捕獲器は、上記シロアリ用エサ配置部と上記アリ用エサ配置部とは、アリが通過可能な大きさの空隙が形成されている内壁により分離されている構成であってもよい。
【０１０７】
これにより、シロアリ用エサ配置部のシロアリとアリ用エサ配置部のアリとをより確実に分離することができるため、より効果的にシロアリを捕獲することができるという効果を奏する。
【０１０８】
本発明のシロアリ捕獲器は、シロアリ捕獲器が地中に配置されているときに、上記開口部の外面側開口端下部が内面側開口端下部よりも下方に位置していることが好ましい。
【０１０９】
これにより、開口部の土砂や水等はシロアリ用エサ配置部の側壁の外面側に排出される。従って、シロアリ捕獲器の内部への土砂や水等の侵入が抑制されるため、シロアリ用エサの取り出しや、交換を容易に行うことができるという効果を奏する。
【０１１０】
本発明のシロアリ捕獲器は、上記側壁の外面側に鍔部が形成されている構成であってもよい。
【０１１１】
これにより、鍔部によりシロアリ捕獲器が地表に支持されるため、穴の深さを調整することなくシロアリ捕獲器を地中の所定の深さに配置できるという効果を奏する。
【０１１２】
本発明のシロアリ捕獲器は、地中において腐敗または腐食に耐え、かつ抗シロアリ性の材料からなる構成であることが好ましい。
【０１１３】
これにより、シロアリ捕獲器を長期間にわたり地中に配置する場合においても、腐食、腐敗やシロアリによる被害が防止される。従って、シロアリの検出または駆除の少なくとも一方を、長期間行うことができるという効果を奏する。
【０１１４】
本発明のシロアリ検出方法は、以上のように、上記のシロアリ捕獲器を用いたシロアリ駆除方法であって、上記シロアリ捕獲器を地中に配置する第１のステップと、上記シロアリ用エサ配置部にシロアリを誘引する非殺蟻性のシロアリ用エサを配置する第２のステップと、上記アリ用エサ配置部にアリを誘引するアリ用エサを配置する第３のステップと、前記第１のステップ、第２のステップおよび第３のステップの後に、シロアリ用エサ配置部のシロアリの存在を確認する第４のステップとを含む構成である。
【０１１５】
それゆえ、シロアリ用エサ配置部からシロアリの天敵であるアリを排除し、シロアリのより効果的な検出が可能となるという効果を奏する。
【０１１６】
本発明のシロアリ駆除方法は、以上のように、上記のシロアリ捕獲器を用いたシロアリ駆除方法であって、上記シロアリ捕獲器を地中に配置する第１のステップと、上記シロアリ用エサ配置部にシロアリを誘引する非殺蟻性のシロアリ用エサを配置する第２のステップと、上記アリ用エサ配置部にアリを誘引するアリ用エサを配置する第３のステップと、前記第１のステップ、第２のステップおよび第３のステップの後に、上記シロアリ用エサ配置部のシロアリの存在を確認する第４のステップと、前記第４のステップにおいてシロアリの存在が確認された後に、上記シロアリ用エサ配置部に殺蟻性のシロアリ用エサを配置する第５のステップとを含む構成である。
【０１１７】
本発明のシロアリ駆除方法は、以上のように、上記のシロアリ捕獲器を用いたシロアリ駆除方法であって、上記アリ用エサ配置部にアリを誘引するアリ用エサを配置するステップと、上記シロアリ用エサ配置部に殺蟻性のシロアリ用エサを配置するステップとを含む構成である。
【０１１８】
それゆえ、シロアリ用エサ配置部からシロアリの天敵であるアリを排除できるため、シロアリ用エサ配置部にシロアリを効果的に集めることができる。このため、多くのシロアリに殺蟻性のシロアリ用エサを巣に持ち帰らせて、効果的にシロアリを駆除することができるという効果を奏する。
【図面の簡単な説明】
【図１】本発明の一構成例である実施の形態のシロアリ捕獲器の構造を説明する、その一部が図２（ａ）のＡ−Ａ’に沿って破断された斜視図である。
【図２】本発明の一構成例である実施の形態のシロアリ捕獲器の斜視図であり、（ａ）は蓋側からの斜視図であり、（ｂ）は本体底部側からの斜視図である。
【図３】本発明の一構成例である実施の形態のシロアリ捕獲器の分解正面図であり、（ａ）はフランジ、蓋、アリ用エサ台および本体の正面図であり、（ｂ）は本体から取り出し可能になっている中芯の正面図である。
【図４】本発明の一構成例である実施の形態のシロアリ捕獲器の開口部の形状を説明する説明図であり、（ａ）は開口部が形成されている側壁の外面側からの正面図であり、（ｂ）は開口部が形成されている側壁の断面図である。
【図５】従来のシロアリ捕獲器の構成例を示す斜視図である。
【符号の説明】
１    フランジ（鍔部）
３    底部（内壁）
４    アリ用エサ台（アリ用エサ配置部）
５    開口部
５ａ  外面側開口端下部
５ｂ  内面側開口端下部
６    側壁
７    本体（シロアリ用エサ配置部）
８    中芯（シロアリ用エサ配置部）
９    シロアリ用エサ
１０    アリ用エサ
【図１】
0004524449.tif 000002
【図２】
0004524449.tif 000003
【図３】
0004524449.tif 000004
【図４】
0004524449.tif 000005
【図５】
0004524449.tif 000006